(57)【特許請求の範囲】
【請求項１】
外枠と、前記外枠の上部を覆う外枠カバーと、前記外枠内に弾性的に吊り下げられた外槽と、回転中心軸を鉛直方向に有し前記外槽内に回転自在に配設した内槽と、外気を吸気する吸気ダクトと、吸気した外気を送風する送風ファンおよびケーシングと、外気を加熱するヒータと、少なくとも前記吸気ダクト、前記送風ファン、前記ケーシングおよび前記ヒータを有し前記外枠カバー内でその後方部分に設けた温風送風手段とを備え、前記吸気ダクトは前記外枠よりも後方に突出させ、前記吸気ダクトの突出した部分は、下面を開口するとともに、前記吸気ダクトの後面に遮音壁を形成し、前記開口した下面より外気を吸気するように構成した洗濯乾燥機。
【請求項２】
吸気ダクトの側壁は、送風ファンにより吸気される空気の流れに沿って曲面状に形成した請求項１記載の洗濯乾燥機。
【請求項３】
吸気ダクトの底面は、ケーシングに設けたファン開口部に近づくにつれて距離が狭くなるようにテーパー状に形成した請求項１または２に記載の洗濯乾燥機。
【請求項４】
吸気ダクトの内側に、吸気される空気の流れに沿った曲面状のリブを複数形成した請求項２記載の洗濯乾燥機。
【請求項５】
吸気フィルターを備え、温風送風手段の吸気ダクトに前記吸気フィルターを装着する吸気フィルター取付部をユニット化して配設した請求項１〜４のいずれか１項に記載の洗濯乾燥機。
【発明の詳細な説明】
【０００１】
【発明の属する技術分野】
本発明は、洗い、すすぎ、脱水の洗濯行程と乾燥行程を備えた洗濯乾燥機に関するものである。
【０００２】
【従来の技術】
従来、この種の洗濯乾燥機は図１１に示すような構成が提案されている。以下、その構成について説明する。
【０００３】
図に示すように、外枠１は、内部に複数のサスペンション２によって弾性的に吊り下げた外槽３を設け、脱水時の振動をサスペンション２によって吸収する構成としている。外槽３の内部には、回転中心軸を鉛直方向に有し洗濯物および乾燥対象物を収容する内槽４を脱水軸５を中心に回転可能に配設し、内槽４の内底部に衣類（洗濯物や乾燥対象物）を撹拌する回転翼６を洗濯軸７を中心に回転自在に配設している。
【０００４】
また、内槽４の内部周壁には小孔（図示せず）を多数設けるとともに、上方には流体バランサー８を設けている。回転翼６は外周部に傾斜面９を有する略皿状の基盤の上面に撹拌用突出部１０を形成することにより、乾燥行程においては、乾燥対象物を回転翼６の回転による遠心力で傾斜面９に沿って上方へと舞い上がりやすくしている。
【０００５】
モータ１１は、外槽３の底部に取り付け、洗濯または脱水時に回転力の伝達を洗濯軸７、脱水軸５に切り換えるクラッチ１２と洗濯軸７、脱水軸５を介して、内槽４または回転翼６に連結している。
【０００６】
熱交換器１３は、循環する湿った温風を除湿するもので、一端を伸縮自在の下部蛇腹状ホース１４を介して外槽３の下部に接続し、他端を循環する温風に含まれるリントを回収するリントフィルター１５を介して循環用送風機１６の一端に接続している。循環用送風機１６の他端は、加熱手段であるヒータ１７を有する温風供給路１８に接続し、上部蛇腹状ホース１９を通って内槽４へ繋がり、循環する温風循環経路２０を構成している。
【０００７】
外槽３には、外槽３の上面を気密的に覆う外槽カバー２１を設けており、この外槽カバー２１に伸縮自在の上部蛇腹状ホース１９から温風を供給する温風供給口２２を開口している。また、この外槽カバー２１に内蓋２３を開閉自在に設け、衣類を出し入れするようにしている。
【０００８】
外枠カバー２４は外枠１の上部を覆うもので、外蓋２５を開閉自在に有し、操作表示手段２６を設けるとともに、内槽４に給水する給水弁２７を設けている。また、外槽３の底部に外槽３内の水を排水する排水弁２８を設けている。冷却用送風機２９は、外枠１の側面に取り付け、外枠１の内部の外槽３、熱交換器１３などを冷却するように送風できるよう構成している。
【０００９】
制御装置３０は、マイクロコンピュータを具備し、モータ１１、クラッチ１２、循環用送風機１６、ヒータ１７、給水弁２７、排水弁２８、冷却用送風機２９などの動作を制御し、洗い、すすぎ、脱水、乾燥の一連の行程を逐次制御するように構成している。
【００１０】
サーミスタ３１は外槽３の外壁の温度を検知するもので、サーミスタ３２は熱交換器１３の出口の循環風温度を検知するものである。制御装置３０は、これらサーミスタ３１、３２による検知出力を入力し、乾燥終了を判定するよう構成している。
【００１１】
上記構成において動作を説明する。洗い行程では、外蓋２５と内蓋２３を開けて、内槽４に衣類（洗濯物）を投入し運転を開始すると、給水弁２７を開いて所定の水位まで給水した後、モータ１１を駆動する。このとき、伝達機構部のクラッチ１２によりモータ１１の動力を洗濯軸７を介して回転翼６に伝達し、回転翼６が回転することで、回転翼６の撹拌用突出部１０により衣類を撹拌し、洗濯物どうし、または内槽４の内壁や回転翼６との接触により作用する機械力と、水流力により行われる。
【００１２】
脱水行程では、洗濯終了後、排水弁２８を開いて内槽４内の水を排水した後、伝達機構部のクラッチ１２を脱水側に切り換えて、モータ１１の動力を脱水軸５を介して内槽４に伝達して回転させ、衣類に遠心力を与えることにより、水分を衣類から分離することで行う。脱水行程が終了すると引きつづいて乾燥行程に入る。
【００１３】
乾燥行程に入ると、排水弁２８を閉じるとともにクラッチ１２を洗濯側に切り換える。そしてモータ１１を駆動して回転翼６に伝達し、回転翼６を正転、反転させて撹拌用突出部１０で衣類を引っかけて撹拌しながら、循環用送風機１６とヒータ１７に通電して温風を温風供給口２２に送る。温風供給口２２より内槽４に吹き込まれた温風は、衣類から水分を蒸発させた後、内槽４から外槽３の内側へ出た後、下部蛇腹状ホース１４を通過して、熱交換器１３へ至る。
【００１４】
衣類の水分を奪って湿気を含んだ温風が、外槽３の内壁や熱交換器１３内を通過しているとき、外枠１の側面に設置した冷却送風機２７による外部空気の流入で、外槽３や熱交換器１３の外壁は冷却されることになり、その内部では、水分の結露が起こり、湿った温風は除湿されて循環用送風機１６に戻る。この温風循環経路２０で温風を循環させることにより、内槽４内の衣類を乾燥することができる。
【００１５】
【発明が解決しようとする課題】
しかしながら、このような従来の構成では、熱交換器１３は一端を伸縮自在の下部蛇腹状ホース１４を介して外槽３の下部に接続し、他端を循環用送風機１６の一端に接続しており、必然的に温風循環経路２０は大がかりなものになり、機体本体も大きく、重量も増加してしまっていた。
【００１６】
また、外気によって熱交換器１３内を循環する温風を間接的に冷却する空冷方式は、広い熱交換面積を必要とするとともに、冷却用送風機２９は外枠の後面に設ける必要があり、さらに機体本体が大きく、重量も増加してしまっていた。
【００１７】
さらに、温風循環経路２０は多数の部品で構成されているため、圧力損失が大きくなるとともに、部品の接合部に隙間が発生して空気漏れが発生しやすく、風量を増加させようとすると大きな循環用送風機１６を高速で回転させなければならなくなり、必然的に大きく、重量も増加するとともに、騒音も大きくなってしまっていた。
【００１８】
本発明は上記課題を解決するもので、簡単な構造で乾燥を可能にして、機体本体を大きく、かつ重量を増加することなく、さらに圧力損失と空気漏れの少ない送風経路を形成して風量を増加させて乾燥性能を向上するとともに、それに伴う騒音を抑えた洗濯乾燥機を実現することを目的としている。
【００１９】
【課題を解決するための手段】
本発明は上記目的を達成するために、外枠の上部を外枠カバーにより覆い、外枠内に弾性的に吊り下げられた外槽内に、回転中心軸を鉛直方向に有する内槽を回転自在に配設し、外気を吸気ダクトにより吸気し、吸気した外気を送風ファンおよびケーシングにより送風するとともに、ヒータにより加熱するよう構成し、少なくとも吸気ダクト、送風ファン、ケーシング、ヒータを有し外枠カバー内でその後方部分に温風送風手段を設け、吸気ダクトは外枠よりも後方に突出させ、吸気ダクトの突出した部分は、下面を開口するとともに、吸気ダクトの後面に遮音壁を形成し、開口した下面より外気を吸気するように構成したものである。
【００２０】
これにより、簡単な構造で乾燥を可能にして、機体本体を大きく、かつ重量を増加することなく、さらに圧力損失と空気漏れの少ない送風経路を形成することができ、風量を増加させて乾燥性能を向上できるとともに、それに伴う騒音を抑えた洗濯乾燥機を実現することができる。
【００２１】
【発明の実施の形態】
本発明の請求項１に記載の発明は、外枠と、前記外枠の上部を覆う外枠カバーと、前記外枠内に弾性的に吊り下げられた外槽と、回転中心軸を鉛直方向に有し前記外槽内に回転自在に配設した内槽と、外気を吸気する吸気ダクトと、吸気した外気を送風する送風ファンおよびケーシングと、外気を加熱するヒータと、少なくとも前記吸気ダクト、前記送風ファン、前記ケーシングおよび前記ヒータを有し前記外枠カバー内でその後方部分に設けた温風送風手段とを備え、前記吸気ダクトは前記外枠よりも後方に突出させ、前記吸気ダクトの突出した部分は、下面を開口するとともに、前記吸気ダクトの後面に遮音壁を形成し、前記開口した下面より外気を吸気するように構成したものであり、簡単な構造で乾燥を可能にでき、機体本体を大きく、かつ重量を増加させなくて済む。また、上記のように温風送風手段を構成したから、洗濯乾燥機の機種切換えが容易になり、基本設計は同じでも、上記温風送風手段を搭載した機種は洗濯乾燥機、温風送風手段を搭載していない機種は洗濯機など、容易に機種切換えができる。さらに、圧力損失と空気漏れの少ない送風経路を形成して風量を増加することができ、乾燥性能を向上することができるとともに、送風ファンによる風切り音等の騒音は前方に来にくく、騒音を抑えた洗濯乾燥機を実現できる。
【００２２】
請求項２に記載の発明は、上記請求項１に記載の発明において、吸気ダクトの側壁は、送風ファンにより吸気される空気の流れに沿って曲面状に形成したものであり、乱流を抑え、風量を増加させて乾燥性能を向上することができるとともに、それに伴う騒音を抑えることができる。
【００２３】
請求項３に記載の発明は、上記請求項１または２に記載の発明において、吸気ダクトの底面は、ケーシングに設けたファン開口部に近づくにつれて距離が狭くなるようにテーパー状に形成したものであり、乱流を抑え、風量を増加させて乾燥性能を向上することができるとともに、それに伴う騒音を抑えることができる。
【００２４】
請求項４に記載の発明は、上記請求項２に記載の発明において、吸気ダクトの内側に、吸気される空気の流れに沿った曲面状のリブを複数形成したものであり、乱流を抑え、風量を増加させて乾燥性能を向上することができるとともに、それに伴う騒音を抑えることができ、さらに、使用者が誤って吸気口から指を入れ、運転中の送風ファンに接触して怪我をするのを防ぐことができる。
【００２５】
請求項５に記載の発明は、上記請求項１〜４いずれか１項に記載の発明において、吸気フィルターを備え、温風送風手段の吸気ダクトに前記吸気フィルターを装着する吸気フィルター取付部をユニット化して配設したものであり、ヒータに外気に含まれるほこりが付着することを防ぐことができる。また、さらにユニット化が進み、機体本体を大きく、かつ重量を増加させなくて済むとともに、さらに洗濯機の機種切換えが容易にすることができる。さらに、吸気フィルターを設けることで外に漏れる音圧そのものを下げることができ、騒音を抑えた洗濯乾燥機を実現できる。
【００２６】
【実施例】
以下、本発明の実施例について、図面を参照しながら説明する。なお、従来例と同じ構成のものは同一符号を付して説明を省略する。
【００２７】
（実施例１）
図２は、本実施例の温風送風手段３３を上から見た一部切欠した断面図、図３は横から見た一部切欠した縦断面図、図４は下から見た下面図である。
【００２８】
図に示すように、送風用モータ３４によって駆動される送風ファン３５は、回転中心軸を鉛直方向に有する遠心ファンで、第１のケーシング（ケーシング）３６および第２のケーシング（ケーシング）３７で形成した渦室３８に配設している。渦室３８の下流側には、ヒータ３９を同じく第１のケーシング３６、第２のケーシング３７で形成した温風供給路４０に配設している。
【００２９】
温風供給路４０のヒータ３９の下流側にサーミスタ４１を配設し、その下流側に第２のケーシング３７に形成した開口部４２に上部蛇腹状ホース４３を接合して、温風を送風するように構成している。渦室３８の上流側は、外気を吸気する吸気ダクト４４を第２のケーシング３７の下部に配設し、機体の後方から外気を吸気するように構成している。
【００３０】
以上の送風用モータ３４、送風ファン３５、第１のケーシング３６、第２のケーシング３７、ヒータ３９、サーミスタ４１、上部蛇腹状ホース４３、および吸気ダクト４４をユニット化して温風送風手段３３を構成している。
【００３１】
図１は、本実施例の洗濯乾燥機の縦断面図である。図に示すように、ユニット化した温風送風手段３３は、外枠４５の上部を覆う外枠カバー４６内に配設している。温風送風手段３３より送風された温風は、上部蛇腹状ホース４３から外槽カバー４７に形成した温風供給口４８に繋がり、内槽４内へ温風が供給されるように構成している。
【００３２】
また、外槽カバー４７に内蓋４９を開閉自在に設け、衣類を出し入れするようにしている。外槽カバー４７には、温風供給口４８から内槽４に供給された温風を排気する排気口５０を形成している。さらに排気口５０の外側にメッシュ状の排気フィルター５１を設けている。
【００３３】
制御装置５２は、マイクロコンピュータを具備し、モータ１１、クラッチ１２、送風用モータ３４、ヒータ３９、給水弁（図示せず）、排水弁２８などの動作を制御し、洗い、すすぎ、脱水、乾燥の一連の行程を逐次制御するように構成している。
【００３４】
サーミスタ４１は温風供給路４０から供給される温風の温度を検知するもので、温風供給路４０のヒータ３９から上部蛇腹状ホース４３の間に設けている。制御装置５２は、サーミスタ４１による検知出力を入力し、温風温度が正常な状態かを監視している。
【００３５】
上記構成において動作を説明する。なお、洗い行程から脱水行程までの動作は従来例の動作と同じであるので説明を省略する。
【００３６】
乾燥行程に入ると、排水弁２８を閉じるとともにクラッチ１２を洗濯側に切り換え、モータ１１を駆動して回転翼６に伝達し、回転翼６を正転、反転させて撹拌用突出部１０で衣類を引っかけて撹拌する。このとき、温風送風手段３３の送風用モータ３４とヒータ３９に通電し、外気を後方から吸気して加熱し、温風を上部蛇腹状ホース４３に送る。
【００３７】
そして、上部蛇腹状ホース４３から外槽カバー４７に形成した温風供給口４８に繋がり、内槽４内へ温風が供給される。内槽４に吹き込まれた温風は、衣類から水分を蒸発させた後、内槽４から上方に向かって上昇し、外槽カバー４７に形成された排気口５０から排気フィルター５１を通して排気する。
【００３８】
このように本実施例では、簡単な構造で乾燥を可能にでき、機体本体を大きく、かつ重量を増加させなくて済む。さらに、温風送風手段３３をユニット化しているため洗濯乾燥機の機種切換えが容易になり、基本設計は同じでも、ユニット化した温風送風手段３３を搭載した機種は洗濯乾燥機、温風送風手段３３を搭載していない機種は洗濯機など、容易に機種切換えができる。
【００３９】
また、圧力損失と空気漏れの少ない送風経路を形成し、風量を増加させて乾燥性能を向上することができるとともに、後方より吸気するため、送風ファン３５による風切り音等の騒音は前方に来にくく、騒音を抑えた洗濯乾燥機を実現できる。
【００４０】
なお、本実施例では、送風用モータ３４、送風ファン３５、第１のケーシング３６、第２のケーシング３７、ヒータ３９、サーミスタ４１、上部蛇腹状ホース４３、および吸気ダクト４４をユニット化して温風送風手段３３を構成したが、少なくとも外気を吸気する送風ファン３５、第１のケーシング３６、第２のケーシング３７のどちらか一方、およびヒータ３９がユニット化されていればよい。
【００４１】
また、吸気ダクト４４を第２のケーシング３７に一体に形成してもよい。
【００４２】
また、本実施例では、送風ファン３５の回転中心軸を鉛直方向で構成したが、鉛直方向に限定されず、どの方向でもよい。
【００４３】
さらに、外気を吸気する吸気ダクト４４は第２のケーシング３７の下部に一体で形成したが、配置を変えて、どの向きに形成してもよい。
【００４４】
（実施例２）
図５および図６に示すように、温風送風手段３３ａは、吸気ダクト４４ａの第１の側壁５３、第２の側壁５４は、吸気される空気の流れに沿って曲面状に形成するようにし、吸気ダクト４４ａの底面５５は、第２のケーシング３７に設けたファン開口部５６に近づくに連れて距離が狭くなるようにテーパー状に形成している。他の構成は上記実施例１と同じである。
【００４５】
上記構成において動作を説明すると、温風送風手段３３ａの送風用モータ３４に通電すると送風ファン３５が回転して中央部は負圧になり、外気を吸気する。このとき、吸気される空気は送風ファン３５の回転に影響され、直線的に吸気されるのではなく、曲線的に吸気される。
【００４６】
吸気ダクト４４ａの第１の側壁５３、第２の側壁５４は吸気される空気の流れに沿って曲面的に形成されているため、これにより乱流を抑え、風量を増加させて乾燥性能を向上することができるとともに、それに伴う騒音を抑えることができる。
【００４７】
なお、本実施例では、吸気ダクト４４ａの第１の側壁５３、第２の側壁５４の両方を吸気される空気の流れに沿って曲面的に形成したが、どちらか一方でもよい。
【００４８】
（実施例３）
図７および図８に示すように、温風送風手段３３ｂは、吸気ダクト４４ｂの内側に、吸気される空気の流れに沿った曲面状のリブ５７を複数形成している。他の構成は上記実施例１または２と同じである。
【００４９】
これにより、乱流を抑え、風量を増加させて乾燥性能を向上することができるとともに、それに伴う騒音を抑えることができ、さらに、使用者が誤って吸気口から指を入れ、運転中の送風ファン３５に接触して怪我をするのを防ぐことができる。
【００５０】
（実施例４）
図９に示すように、温風送風手段３３の吸気ダクト４４の後方に、吸気フィルター取付部５８と、取手５９に一体化して成型した吸気フィルター６０をユニット化して配設している。他の構成は上記実施例１または２と同じである。
【００５１】
これにより、ヒータ３９に外気に含まれるほこりが付着するのを防ぐことができる。また、さらにユニット化が進み、機体本体を大きく、かつ重量を増加させなくて済むとともに、さらに洗濯乾燥機の機種切換えを容易にすることができる。さらに、吸気フィルター６０を設けることで、外に漏れる音圧そのものを下げることができ、騒音を抑えた洗濯乾燥機を実現できる。
【００５２】
なお、吸気フィルター６０は温風送風手段３３に脱着可能に配設してもよい。
【００５３】
（実施例５）
図１０に示すように、温風送風手段３３ｃの吸気ダクト４４ｃは外枠４５よりも後方に突出させ、吸気ダクト４４ｃの突出した部分の下方を開放するとともに、後面に遮音壁６１を形成している。また、吸気ダクト４４ｃの一部に吸気フィルター取付部５８ｃと取手５９ｃと吸気フィルター６０ｃをユニット化して配設している。他の構成は上記実施例１と同じである。
【００５４】
これにより、後面の下方より吸気するため、送風ファン３５による風切り音等の騒音はさらに前方に来にくくなり、騒音を抑えることができる。さらに、吸気フィルター６０ｃを設けることで、外に漏れる音圧そのものを下げることができ、騒音を抑えた洗濯乾燥機を実現できる。
【００５５】
【発明の効果】
以上のように本発明の請求項１に記載の発明によれば、外枠と、前記外枠の上部を覆う外枠カバーと、前記外枠内に弾性的に吊り下げられた外槽と、回転中心軸を鉛直方向に有し前記外槽内に回転自在に配設した内槽と、外気を吸気する吸気ダクトと、吸気した外気を送風する送風ファンおよびケーシングと、外気を加熱するヒータと、少なくとも前記吸気ダクト、前記送風ファン、前記ケーシングおよび前記ヒータを有し前記外枠カバー内でその後方部分に設けた温風送風手段とを備え、前記吸気ダクトは前記外枠よりも後方に突出させ、前記吸気ダクトの突出した部分は、下面を開口するとともに、前記吸気ダクトの後面に遮音壁を形成し、前記開口した下面より外気を吸気するように構成したから、簡単な構造で乾燥を可能にでき、機体本体を大きく、かつ重量を増加させなくて済む。また、上記のように温風送風手段を構成したから、洗濯乾燥機の機種切換えが容易になり、基本設計は同じでも、上記温風送風手段を搭載した機種は洗濯乾燥機、温風送風手段を搭載していない機種は洗濯機など、容易に機種切換えができる。さらに、圧力損失と空気漏れの少ない送風経路を形成して風量を増加することができ、乾燥性能を向上することができるとともに、送風ファンによる風切り音等の騒音は前方に来にくく、騒音を抑えた洗濯乾燥機を実現できる。
【００５６】
また、請求項２に記載の発明によれば、吸気ダクトの側壁は、送風ファンにより吸気される空気の流れに沿って曲面状に形成したから、乱流を抑え、風量を増加させて乾燥性能を向上することができるとともに、それに伴う騒音を抑えることができる。
【００５７】
また、請求項３に記載の発明によれば、吸気ダクトの底面は、ケーシングに設けたファン開口部に近づくにつれて距離が狭くなるようにテーパー状に形成したから、乱流を抑え、風量を増加させて乾燥性能を向上することができるとともに、それに伴う騒音を抑えることができる。
【００５８】
また、請求項４に記載の発明によれば、吸気ダクトの内側に、吸気される空気の流れに沿った曲面状のリブを複数形成したから、乱流を抑え、風量を増加させて乾燥性能を向上することができるとともに、それに伴う騒音を抑えることができ、さらに、使用者が誤って吸気口から指を入れ、運転中の送風ファンに接触して怪我をするのを防ぐことができる。
【００５９】
また、請求項５に記載の発明によれば、吸気フィルターを備え、温風送風手段の吸気ダクトに前記吸気フィルターを装着する吸気フィルター取付部をユニット化して配設したから、ヒータに外気に含まれるほこりが付着することを防ぐことができる。また、さらにユニット化が進み、機体本体を大きく、かつ重量を増加させなくて済むとともに、さらに洗濯機の機種切換えが容易にすることができる。さらに、吸気フィルターを設けることで外に漏れる音圧そのものを下げることができ、騒音を抑えた洗濯乾燥機を実現できる。
【図面の簡単な説明】
【図１】  本発明の第１の実施例の洗濯乾燥機の縦断面図
【図２】  同洗濯乾燥機の温風送風手段の一部切欠した断面図
【図３】  同洗濯乾燥機の温風送風手段の一部切欠した縦断面図
【図４】  同洗濯乾燥機の温風送風手段の下面図
【図５】  本発明の第２の実施例の洗濯乾燥機の温風送風手段の一部切欠した縦断面図
【図６】  同洗濯乾燥機の温風送風手段の下面図
【図７】  本発明の第３の実施例の洗濯乾燥機の温風送風手段の一部切欠した縦断面図
【図８】  同洗濯乾燥機の温風送風手段の一部切欠した下断面図
【図９】  本発明の第４の実施例の洗濯乾燥機の縦断面図
【図１０】  本発明の第５の実施例の洗濯乾燥機の縦断面図
【図１１】  従来の洗濯乾燥機の縦断面図
【符号の説明】
３  外槽
４  内槽
３３  温風送風手段
３５  送風ファン
３６  第１のケーシング（ケーシング）
３７  第２のケーシング（ケーシング）
３９  ヒータ
４４  吸気ダクト
４５  外枠
４６  外枠カバー
【図１】
0004016699.tif 000002
【図２】
0004016699.tif 000003
【図３】
0004016699.tif 000004
【図４】
0004016699.tif 000005
【図５】
0004016699.tif 000006
【図６】
0004016699.tif 000007
【図７】
0004016699.tif 000008
【図８】
0004016699.tif 000009
【図９】
0004016699.tif 000010
【図１０】
0004016699.tif 000011
【図１１】
0004016699.tif 000012